(57)【要約】【課題】測定対象物のメタリック感を定量的に評価するメタリック感の評価方法を提供する。【解決手段】メタリック感を有する物質の色彩情報を取得する工程と、前記物質の光沢情報を取得する工程と、前記物質の質感情報を取得する工程と、前記物質を構成する素材の光輝情報を取得する工程と、前記色彩情報、前記光沢情報、前記質感情報及び前記光輝情報に基づいて前記物質のメタリック感を評価する工程と、を有することを特徴とする、メタリック感の評価方法。【選択図】図３
2015068813.tif 000002
【特許請求の範囲】
【請求項１】
メタリック感を有する物質の色彩情報を取得する工程と、
前記物質の光沢情報を取得する工程と、
前記物質の質感情報を取得する工程と、
前記物質を構成する素材の光輝情報を取得する工程と、
前記色彩情報、前記光沢情報、前記質感情報及び前記光輝情報に基づいて前記物質のメタリック感を評価する工程と、を有することを特徴とする、メタリック感の評価方法。
【請求項２】
前記色彩情報を取得する工程が、
前記物質に照射光を照射して、前記物質からの反射光を受光することで前記反射光の情報を取得するプロセスと、
前記反射光の情報と予め取得した前記照射光の情報とに基づいて前記色彩情報を取得するプロセスと、を有することを特徴とする、請求項１に記載のメタリック感の評価方法。
【請求項３】
前記物質からの反射光が、前記物質からの拡散光であることを特徴とする、請求項２に記載のメタリック感の評価方法。
【請求項４】
前記色彩情報が、ＣＩＥのａ＊及びｂ＊で表される情報であることを特徴とする、請求項１乃至３のいずれか一項に記載のメタリック感の評価方法。
【請求項５】
前記光沢情報を取得する工程が、
前記物質に照射光を照射するプロセスと、
前記照射光を前記物質に照射した際に生じた反射光を受光部で受光することで前記反射光の情報を取得するプロセスと、を、
前記反射光の受光角度を連続的に変化させながら繰り返し行うことで前記光沢情報を取得する工程であることを特徴とする、請求項１乃至４のいずれか一項に記載のメタリック感の評価方法。
【請求項６】
前記照射光を発する光源、前記反射光を受光する受光部、及び前記物質の少なくとも１つを可動させることで、前記照射光の照射角度又は前記反射光の受光角度を変化させることを特徴とする、請求項１及至５のいずれか一項に記載のメタリック感の評価方法。
【請求項７】
前記質感情報を取得する工程が、
前記物質の画像を取得するプロセスと、
前記画像の明度分布を取得するプロセスと、
前記明度分布から前記質感情報を取得するプロセスと、を有することを特徴とする、請求項１乃至６のいずれか一項に記載のメタリック感の評価方法。
【請求項８】
前記質感情報が、ＣＩＥのＬ＊で表される情報であることを特徴とする、請求項１乃至７のいずれか一項に記載のメタリック感の評価方法。
【請求項９】
前記光輝情報を取得する工程が、
前記物質の微小領域に照射光を照射した時の正反射率を測定し、前記正反射率に基づいて前記物質を構成する素材の光輝情報を取得する工程であることを特徴とする、請求項１乃至８のいずれか一項に記載のメタリック感の評価方法。
【請求項１０】
物質のメタリック感を評価する評価装置であって、
前記物質の色彩情報を取得する手段と、
前記物質の光沢情報を取得する手段と、
前記物質の質感情報を取得する手段と、
前記物質を構成する素材の光輝情報を取得する手段と、
前記色彩情報、前記光沢情報、前記質感情報及び光輝情報に基づいて前記物質のメタリック感を評価する評価手段と、を有することを特徴とする、評価装置。
【請求項１１】
前記色彩情報を取得する手段が、
前記物質に照射光を照射して、前記物質からの反射光を受光することで前記反射光の情報を取得する手段と、
前記反射光の情報と予め取得した前記照射光の情報とに基づいて前記色彩情報を取得する手段と、を有することを特徴とする、請求項１０に記載の評価装置。
【請求項１２】
前記色彩情報が、ＣＩＥのａ＊及びｂ＊で表される情報であることを特徴とする、請求項１０又は１１に記載の評価装置。
【請求項１３】
前記光沢情報を取得する手段が、
前記物質に照射光を照射する光源と、
前記照射光を前記物質に照射した際に生じた反射光を受光する受光部と、
前記受光部から前記反射光の情報を取得する手段と、
前記受光部が受光する前記反射光の受光角度を変化させる手段と、
前記反射光の情報に基づいて前記光沢情報を取得する手段と、を有することを特徴とする、請求項１０乃至１２のいずれか一項に記載の評価装置。
【請求項１４】
前記反射光の受光角度を変化させる手段が、
前記反射光を受光する受光部又は前記物質を可動させる手段によって前記反射光の受光角度を変化させる手段であることを特徴とする、請求項１３に記載の評価装置。
【請求項１５】
前記光沢情報を取得する手段が、
前記物質に照射光を照射する光源と、
前記照射光を前記物質に照射した際に生じた反射光を受光する受光部と、
前記受光部から前記反射光の情報を取得する手段と、
前記照射光の照射角度を変化させる手段と、
前記反射光の情報に基づいて前記光沢情報を取得する手段と、を有することを特徴とする、請求項１０乃至１２のいずれか一項に記載の評価装置。
【請求項１６】
前記照射光の照射角度を変化させる手段が、
前記照射光を発する光源又は前記物質を可動させる手段によって前記照射光の照射角度を変化させる手段であることを特徴とする、請求項１５に記載の評価装置。
【請求項１７】
前記質感情報を取得する手段が、
前記物質の画像を取得する手段と、
前記画像の明度分布を取得する手段と、
前記明度分布から前記質感情報を取得する手段と、を有することを特徴とする、請求項１０乃至１６のいずれか一項に記載の評価装置。
【請求項１８】
前記質感情報が、ＣＩＥのＬ＊からフーリエ変換して得られた粒状度で表される情報であることを特徴とする、請求項１０乃至１７のいずれか一項に記載の評価装置。
【請求項１９】
前記光輝情報を取得する手段が、
前記物質の微小領域に照射光を照射した時の正反射率を測定し、前記正反射率に基づいて前記物質を構成する素材の光輝情報を取得する手段であることを特徴とする、請求項１０乃至１８のいずれか一項に記載の評価装置。
【発明の詳細な説明】
【技術分野】
【０００１】
本発明は、メタリック感の評価方法及びその評価方法を実施するための評価装置に関する。
【背景技術】
【０００２】
メタリック記録画像の発色性を評価するためには、画像のメタリック感を客観的に表現することが必要である。しかし金箔等のメタリック感を定量的に評価する技術は未だ確立されていない。一般的には、主観評価を用いてユーザーの要求するメタリック感を提供するといった手法で行われていたため、金箔等の独特の質感を有するメタリック感をどのように定量的に制御すればユーザーの要求を満足できるか、については把握しきれていなかった。このため、過去に得られたメタリック感に関する情報を何度も繰り返し記録することになり、莫大な労力とコストを必要とされていた。
【０００３】
上記課題を解決するためにいくつかの提案がなされている。例えば、特許文献１には、メタリック塗色における意匠性の評価方法及び塗装物品が開示されている。尚、特許文献１の評価方法は、下記（ｉａ）乃至（ｉｉｉａ）のプロセスを有している。
（ｉａ）メタリック感を色彩とミクロ質感とに分類するプロセス
（ｉｉａ）多角度測定装置を用いてハイライト側とシェード側とにおいて彩度及び明度を測定して色彩を定量評価するプロセス
（ｉｉｉａ）ミクロ光輝感測定装置を用いてハイライト側とシェード側との画像解析を行うことでミクロ質感を定量評価するプロセス
【０００４】
一方、特許文献２には、メタリック塗装数値化方法及び装置化装置が開示されている。尚、特許文献２の数値化方法は、下記（ｉｂ）乃至（ｉｉｂ）のプロセスを有している。
（ｉｂ）顕微鏡を用いてメタリック感を有する塗装面の拡大画像を撮像するプロセス
（ｉｉｂ）（ｉｂ）の拡大画像から光輝感の特徴量を抽出するプロセス
【先行技術文献】
【特許文献】
【０００５】
【特許文献１】特開２００４−２７１４６７号公報
【特許文献２】特開２００８−２４６３４７号公報
【発明の概要】
【発明が解決しようとする課題】
【０００６】
特許文献１の方法では、ハイライト側、シェード側及び正面というように測定角度を限定することでメタリック塗色開発の労力は低減できる。しかし、測定対象が金属光沢感の低いものに限られるという問題があった。また特許文献２の方法では、金属等のフレークが有するメタリック感について、このフレークの分布や明るさを拠り所にして光輝感を定量・評価している。しかし、色味やマクロな金属光沢感については測定乃至評価がされておらず、結局のところ金箔等の色を有するメタリック感の定量評価には至っていなかった。
【０００７】
本発明は、上述した従来技術の問題点に鑑みてなされたものであり、その目的は、測定対象物のメタリック感を定量的に評価するメタリック感の評価方法を提供することにある。
【課題を解決するための手段】
【０００８】
本発明のメタリック感の評価方法は、メタリック感を有する物質の色彩情報を取得する工程と、
前記物質の光沢情報を取得する工程と、
前記物質の質感情報を取得する工程と、
前記物質を構成する素材の光輝情報を取得する工程と、
前記色彩情報、前記光沢情報、前記質感情報及び前記光輝情報に基づいて前記物質のメタリック感を評価する工程と、を有することを特徴とする。
【発明の効果】
【０００９】
本発明によれば、測定対象物のメタリック感を定量的に評価するメタリック感の評価方法を提供することができる。
【図面の簡単な説明】
【００１０】
【図１】色彩情報取得工程の概要を示す断面図である。
【図２】光沢情報取得工程の概要を示す断面図である。
【図３】メタリック感の評価工程の流れを示すフローチャートを示す図である。
【図４】本発明の評価装置のハード構成の例を示す図である。
【発明を実施するための形態】
【００１１】
本発明のメタリック感の評価方法は、下記（Ａ）乃至（Ｅ）に示される工程を有する。（Ａ）メタリック感を有する物質の色彩情報を取得する工程（色彩情報取得工程）
（Ｂ）上記物質の光沢情報を取得する工程（光沢情報取得工程）
（Ｃ）上記物質の質感情報を取得する工程（質感情報取得工程）
（Ｄ）上記物質を構成する素材の光輝情報を取得する工程（光輝情報取得工程）
（Ｅ）色彩情報、光沢情報、質感情報及び光輝情報に基づいて物質のメタリック感を評価する工程（評価工程）。
【００１２】
尚、上記（Ａ）乃至（Ｅ）の工程のうち、（Ａ）乃至（Ｄ）の工程は、特に順番は問われない。また同時に行ってもよい。その詳細については、後述する。
【００１３】
以下、本発明の実施の形態について詳細に説明する。ただし、本発明は以下に説明する実施形態に限定されるものではなく、その趣旨を逸脱しない範囲で、当業者の通常の知識に基づいて、以下に説明する実施形態から適宜変更、改良等が加えられたものについても本発明の範囲に当然に含まれる。
【００１４】
本発明の評価方法（メタリック感評価方法）は、被評価記録媒体のメタリック感を評価する方法である。ここで被評価記録媒体としては、塗料、染料等に含まれるメタリック感を醸し出す成分が挙げられる。またメタリック感を醸し出す成分としては、金属そのもので形成されているもの、金属フレークと顔料や染料等の色材とが混合されてなるもの、有機材料もしくは無機材料からなる膜が積層することによってメタリック感を有するもの等が挙げられる。
【００１５】
以下、各工程（色彩情報取得工程、光沢情報取得工程、質感情報取得工程、光輝情報取得工程、評価工程）について詳細に説明する。
【００１６】
［色彩情報取得工程］
本工程で取得できる色彩情報とは、人が感じる色味である。ここで色彩情報を得る方法として、例えば、積分球測色計を用いる方法がある。この方法では、正反射成分を含んだ拡散光を受光する方式によって測色することで得られる情報、具体的には、ＣＩＥ（国際標準表色系）のａ＊及びｂ＊で表される上記拡散光の色味の情報を得ることができる。
【００１７】
図１は、色彩情報取得工程の概要を示す断面図である。尚、図１には、所定の照明光１１ａを照射するための光源１１と、この照明光１１ａが照射される被評価記録媒体１２と、この照明光１１ａが被評価記録媒体１２に入射した際に生じる反射光を受光するための積分球型受光部１３と、が示されている。
【００１８】
照明光１１ａを発する光源１１は、被評価記録媒体１２が評価されたい外部環境に応じて適宜選択することができる。
【００１９】
例えば、白熱灯環境下での評価を行う際には標準Ａ光源を選択することができる。また太陽光環境下での評価を行う際には標準Ｂ光源を選択することができる。さらに晴天の日に北窓で受ける外部環境下での評価を行う際には標準Ｃ光源を選択することができる。さらにまた紫外線を含む平均的な昼光での評価を行う際には標準Ｄ光源を選択することができる。
【００２０】
積分球型受光部１３は、照明光１１ａを被評価記録媒体１２（の表面）に入射した際に生じる反射光１１ｂを受光する。積分球型受光部１３が受光した反射光１１ｂの色味の情報は、予め取得した照明光１１ａの可視光領域の分光スペクトル情報に基づいてＣＩＥのａ＊及びｂ＊を用いて色彩情報として取得することができる。尚、本実施形態では、ＣＩＥのａ＊、ｂ＊を用いて反射光の色彩情報を取得しているが、必要に応じてＣＩＥのｘ、ｙを用いて反射光１１ｂの色彩情報を取得してもよい。また色彩情報を取得するための評価基準として、硫酸バリウム等の標準白色板を用いて、被評価記録媒体１２を評価する前に予め基準値の色彩情報を取得した後、被評価記録媒体１２の測定を行ってもよい。
【００２１】
［光沢情報取得工程］
本工程で取得できる光沢情報は、媒体と受光部との距離を３０ｃｍ離し、かつ照射部と媒体と受光部とで形成される角度が変わるようにした上で、照射部、媒体及び受光部のうちのいずれかの位置を変化させた際の受光部で計測される明度変化である。図２は、光沢情報取得工程の概要を示す断面図である。尚、図２には、所定の照明光１１ａを照射するための光源１１と、この照明光１１ａが照射される被評価記録媒体１２と、この照明光１１ａが被評価記録媒体１２に入射した際に生じる反射光１１ｂを受光するための受光部１４と、が示されている。尚、図２の受光部１４は、可動支柱部１５によって、照明光１１ａの入射地点（照射位置１２ａ）から一定の距離を保ちながら揺動できるように支持されている。また図２の稼動支柱部１５は、光源１１を所定の位置に固定させるための部材でもある。
【００２２】
照明光１１ａを発する光源１１は、上述した色彩情報取得工程と同様に、被評価記録媒体１２が評価されたい外部環境に応じて適宜選択することができる。
【００２３】
受光部１４は、照明光１１ａを被評価記録媒体１２に入射した際に生じる反射光を受光する。受光部１４の受光領域が所定の広さの面を有することから、正反射光の受光には開き角が存在する。本実施形態ではこの開き角を、好ましくは、−０．４°以上０．４°以下に設定した上で反射光の測定を行っているが、この開き角が広いと正反射光成分以外の拡散光も受光することがある。このため、開き角を−０．４°以上０．４°以下とするのが好ましく、開き角を−０．１°以上０．１°以下とするのが正反射光を高精度で受光できるのでより好ましい。
【００２４】
照明光１１ａを照射する光源１１は、例えば、被評価記録媒体１２に対して垂直方向から光を照射した角度を０°として、そこから、例えば、４５°の角度に設定する。このとき被評価記録媒体１２に照射する光の照射角度は４５°となる。そして図２に示されるように、光源１１及び被評価記録媒体１２の位置を固定した上で、受光部１４を、照射位置１２ａとの距離を一定にしつつ９０°から−９０°まで揺動させながら所定の角度における明度Ｌ＊を測定する。尚、ここでいう所定の角度は、受光部１４が受光する反射光の受光角度となる。また明度Ｌ＊の測定の際には、受光部１４を０．１°刻みで移動させながら測定する。
【００２５】
メタリック感を有する対象物は一般的には高い光沢感を有するため、受光部１４の移動範囲（揺動範囲）は、必ずしも９０°から−９０°までの範囲にする必要はなく、０°から−９０°までの範囲でもよい。またメタリック感を有する対象物の測定を行う場合、受光角がわずかに変化した場合でも大きな明度変化が発生することがある。このため、段階的に明度Ｌ＊を測定する際には、測定間隔を１°刻み以下である方がよく、０．１°刻み以下であれば好ましく、０．０１°刻み以下であればより好ましい。
【００２６】
受光部１４が受光した明度に関する情報は、ＣＩＥのＬ＊を用いて光沢情報として取得する。このように、本実施形態では、ＣＩＥのＬ＊を用いて明度に関する情報を基に光沢情報を取得しているが、必要に応じてＣＩＥの視感反射率Ｙを用いて光沢情報を取得してもよい。尚、光沢情報を取得するための評価基準として、黒色研磨ガラス等の標準研磨板を用いて被評価記録媒体１２を評価する前に予め基準値の測定を行っておくとよい。
【００２７】
上述の測定方法により取得した受光角に対する明度Ｌ＊を用い、光沢情報を鮮明度によって定量化する場合は、下記一般式（１）を用いて求めるのがよい。
鮮明度＝Ｌ／ｗ                                                          （１）
【００２８】
式（１）において、Ｌは、各々の受光角で測定される明度Ｌ＊のうち一番高い明度（Ｌ＊MAX）の値を表し、ｗは、上記Ｌ＊MAXの半値（Ｌ＊MAX／２）を示す２点の受光角の幅を表す。
【００２９】
一般的なメタリック感を有する対象物は、照明光１１ａに対する正反射光の受光角を中心に明度が最大（Ｌ＊MAX）となり、その受光角から離れるにつれて徐々に明度Ｌ＊が小さくなる。このため、明度Ｌ＊MAXの半値を示す受光角は２点存在する。本実施形態においては、その２点の受光角の角度差ｗ、及び一般式（１）中の鮮明度を用いて光沢情報を取得する。
【００３０】
本実施形態では、照明光１１ａ及び被評価記録媒体１２の位置を固定し、受光部１４を、照射位置１２ａとの距離を一定にしつつ移動させることによって光沢情報を取得している。ただし、受光部１４及び被評価記録媒体１２の位置を固定し、照明光１１ａを発する光源１１を、照射位置１２ａとの距離を一定にしつつ移動させることによって光沢情報を取得してもよい。また、照明光１１ａの位置を固定し、かつ被評価記録媒体１２を被評価記録媒体の照射位置１２ａを中心に傾斜させた状態で、受光部１４を照射位置１２ａとの距離を一定にしつつ移動させることによって光沢情報を取得してもよい。さらには、受光部１４の位置を固定し、かつ被評価記録媒体１２を被評価記録媒体の照射位置１２ａを中心に傾斜させた状態で、照明光１１ａを照射位置１２ａとの距離を一定にしつつ移動させることによって光沢情報を取得してもよい。尚、本実施形態では、実際に人が被記録媒体を視認する距離を考慮し、照明光１１及び受光部１４と照射位置１２ａとの距離をいずれも３０ｃｍに設定した上で光沢情報を取得しているが、本発明のメタリック感の評価方法では、被評価記録媒体を用いる分野や場面に応じて照明光や被評価記録媒体との距離を変えて光沢情報を取得してもよい。
【００３１】
本発明において、本工程は、対象物質（被評価記録媒体１２）に照射光を照射するプロセスと、照射光を対照物質に照射した際に生じた反射光を受光部で受光することで反射光の情報を取得するプロセスと、を、有する。このとき照射光の照射角度を、例えば、図２に示される可動支柱部１５を用いて照射光１１ａを発する光源１１の位置を連続的に変化させながら上述した２つのプロセスを繰り返し行うことにより、対象物質（被評価記録媒体１２）を複数の方向で観察したときの光沢情報を取得することができる。
【００３２】
［質感情報取得工程］
質感情報は、被評価記録媒体の明度分布を画像解析することによって得ることができる。画像解析を行うための画像は、ＣＣＤカメラで撮影可能な光学顕微鏡を用いて被評価記録媒体を撮影することによって取得することができる。得られた画像の明度分布を、濃度変動の空間周波数及び視覚の空間周波数を用いてフーリエ変換することによって得られる粒状度で定量化することで、質感情報を取得することができる。ここで粒状度は、下記一般式（２）で求めることができる。
粒状度＝∫｛ＷＳ（ｕ）0.5×ＶＴＦ（ｕ）｝ｄｕ                          （２）
【００３３】
式（２）において、ｕは、空間周波数を表し、ＷＳ（ｕ）は、濃度変動の空間周波数特性を表し、ＶＴＦ（ｕ）は、視覚の空間周波数特性を表す。
【００３４】
ここで空間周波数ｕは、一般的には視覚１°あたりの波数で表す縞状等の模様を示している。また空間周波数特性（ＷＳ（ｕ）、ＶＴＦ（ｕ））を用いて得られる粒状度は、照明光の明るさと被評価記録媒体との距離によって変化する。本実施形態では、上述したように、光学顕微鏡を用いて画像を撮影した後、照明光の明るさを１０００ルクスとし、被評価記録媒体との距離を３０ｃｍとした際の粒状度を用いることにより質感情報を取得することができる。ただし、本発明においてはこの方法に限定されず、被評価記録媒体を用いる分野や場面に応じて照明光や被評価記録媒体との距離を変えた粒状度を用いることによって質感情報を取得することができる。
【００３５】
［素材の光輝情報を取得する工程（光輝情報取得工程）］
素材の光輝情報は、素材そのものが有する光の反射の強さを測定することによって取得することができる。素材そのものが有する光の反射の強さを評価するには、被評価記録媒体に対して垂直な方向から照明光を照射し、同方向から受光した照射光の反射光を測定し、この測定により得られる正反射率を基に評価する。ただし、被評価記録媒体が凹凸形状を有している場合やアルミフレークや真鍮等の微小片によってメタリック色を形成している場合は、一般的な分光光度計や前述の光沢情報取得工程で用いた測定方法で素材そのものの反射率を測定できない。素材そのものの正反射率は、被評価記録媒体表面の凹凸形状の影響を受けることや、金属微小片が存在しない領域では測定できないからである。
【００３６】
このため、正反射率の測定の際には、被評価記録媒体表面の凹凸形状の影響を受けず、かつメタリック間を醸し出す微小片（アルミフレークや真鍮等）よりも小さな領域（微小領域）で測定することが好ましい。この小さな領域で正反射率を測定する方法として、例えば、照明光の光路部にレンズやピンホールを設置した顕微分光光度計を用いる方法がある。尚、正反射率に関する情報は、素材の光輝感を示すパラメータであるＣＩＥのＬ＊から取得することができるが、必要に応じて素材の光輝情報を示すパラメータであるＣＩＥの視感反射率Ｙを用いて取得してもよい。
【００３７】
［評価工程］
図３は、メタリック感の評価工程の流れを示すフローチャートを示す図である。図３のフローチャートは、操作部の操作によって、色彩情報、光沢情報、質感情報及び素材の光輝情報をそれぞれ取得し、取得した情報を出力部がデータとして抽出するフローが示されている。これによって、上述の情報を４つの定量値として得ることができる。
【００３８】
また図３のフローチャートには、光学情報を取得するために鮮明度算出部で演算処理を行うこと、及び質感情報を取得するために画像撮影部、画像抽出部及び画像解析部で順次演算処理を行うことも示されている。
【００３９】
尚、色彩情報、光沢情報、質感情報及び素材の光輝情報を取得する順番は、特に限定されずどの順番で取得してもよく、この順番は測定効率等により適宜変更することができ、取得する情報が複数同時であってもよい。本実施形態のメタリック感の評価方法としては、下記（ｉ）乃至（ｉｉｉ）のプロセスで行う評価方法がある。
（ｉ）ユーザーが要求するメタリック感を有する対象物について、図３で説明された評価工程によって定量化するプロセス
（ｉｉ）当事者が提供する同等のメタリック感を有する対象物について、図３で説明された評価工程によって定量化するプロセス
（ｉｉｉ）（ｉ）及び（ｉｉ）によってそれぞれ得られる４つの定量的な情報についてそれぞれ比較評価するプロセス
【００４０】
ここで（ｉ）及び（ｉｉ）のプロセスで取得される定量化された４つの情報に関する数値のいずれかに差が発生している場合は、ユーザーが要求するメタリック感を有するように、この差を所望の範囲内になるよう被記録媒体を調整していく。これによって、主観評価や経験によって所望のメタリック色になるように調整していた時と比べて格段に効率良くメタリック色の調整が可能となる。
【００４１】
［メタリック感の評価装置］
本発明の評価装置は、物質のメタリック感を評価する評価装置である。本発明の評価装置は、下記（ａ）乃至（ｅ）の構成を有する装置である。
（ａ）物質の色彩情報を取得する手段
（ｂ）物質の光沢情報を取得する手段
（ｃ）物質の質感情報を取得する手段
（ｄ）物質を構成する素材の光輝情報を取得する手段
（ｅ）色彩情報、光沢情報、質感情報及び光輝情報に基づいて物質のメタリック感を評価する評価手段
【００４２】
図４は、本発明の評価装置のハード構成の例を示す図である。図４の評価装置１は、測定を行う本体部２と、制御部３と、から構成される。尚、図４の評価装置１において、被評価記録媒体１２は、媒体設置部１９の上に設置されている。
【００４３】
本発明の評価装置において、物質の色彩情報を取得する手段として、例えば、図４に図示される下記（ａ−１）乃至（ａ−３）からなる構成がある。
（ａ−１）被評価記録媒体１２（測定物質）へ向けて照射される照射光１１ａを発する光源１１
（ａ−２）被評価記録媒体１２から発せられる反射光１１ｂを受光するための積分球型受光部１３
（ａ−３）ＰＣ端末１８
【００４４】
ここで（ａ−１）は、後述する落射型光学顕微鏡１６の設置角度を基準（０°）として、この基準に対して４５°の角度に設定されている。
【００４５】
また（ａ−１）及び（ａ−２）は、色彩情報を取得する手段に含まれる手段、具体的には、被評価記録媒体１２（測定物質）からの反射光を受光することで反射光の情報を取得する手段となる。より具体的には、（ａ−１）は、被評価記録媒体１２（測定物質）へ向けて照射光１１ａを照射する手段である。尚、ここで記載する被評価記録媒体１２からの反射光には、正反射光及び拡散光が含まれる。また（ａ−２）は、照射光１１ａを被評価記録媒体１２へ入射した際に生じる反射光に関する情報を取得する手段である。尚、図４の評価装置１では、照射光１１ａは、被評価記録媒体１２へ入射される前に、積分球型受光部１３に到達するが、このとき積分球型受光部１３は、照射光１１ａに関する情報を取得することができる。
【００４６】
図４の評価装置１において、積分球型受光部１３は、被評価記録媒体１２を覆うように設置する。このため、色彩情報を取得する場合に設置されればよく、必要に応じて他の情報（光沢情報、質感情報、素材の光輝情報）を取得する際に不具合が生じない位置まで移動することが好ましい。
【００４７】
一方、（ａ−３）は、（ａ−２）の積分球型受光部１３が取得した反射光の情報及び照射光の情報に基づいて色彩情報を取得する。ところで、図４には図示されていないが、積分球型受光部１３は、信号処理回路２０ａに接続されており、この信号処理回路２０ａによって積分球型受光部１３が取得した反射光の情報及び照射光の情報は、色彩情報に変換される。そして信号処理回路２０ａに接続されるＰＣ端末１８がこの色彩情報を取得する。このとき（ａ−３）が取得する色彩情報の形式は、特に限定されないが、好ましくは、ＣＩＥのａ＊及びｂ＊で表される情報である。
【００４８】
本発明の評価装置において、物質の光沢情報を取得する手段として、例えば、図４に図示される下記（ｂ−１）乃至（ｂ−３）からなる構成がある。
（ｂ−１）被評価記録媒体１２（測定物質）に照射光１１ａを照射する光源１１
（ｂ−２）照射光１１ａを測定物質に照射した際に生じた反射光１１ｂを受光する受光部１４
（ｂ−３）照射光の照射角度を変化させる可動支柱部１５
（ｂ−４）受光部１４に接続される信号処理回路２０ａ及び信号処理回路２０ａに接続されるＰＣ端末１８
【００４９】
ここで、（ｂ−２）は、反射光の情報を取得する手段となる。また（ｂ−３）は、（ｂ−２）と照射光１１ａの照射位置１２ａとの距離を一定に保持しつつ（ｂ−２）を９０°から−９０°の範囲において０．１°刻みで駆動させる手段である。この（ｂ−３）により、（ｂ−２）は、９０°から−９０°の範囲において０．１°刻みで明度を測定することができる。尚、図４の評価装置において、光源１１は、可動支持部１５によって照射位置１２ａとの距離を一定に保持しつつ可動できるように設置されている。このため、この可動支持部１５を利用して照射光１１ａの照射角を調整することができる。さらに、（ｂ−４）は、（ｂ−２）から得られた反射光の情報に基づいて光沢情報を取得する手段となる。具体的には、受光部１４が感知した反射光１１ｂに関する情報を、信号処理回路２０ａを用いて光沢情報に変換し、この変換によって得られた光沢情報をＰＣ端末１８が取得する。
【００５０】
ところで、物質の光沢情報は、被評価記録媒体１２に照射する照射光の照射角や受光部１４が受光する反射光１１ｂの受光角によって変化する。図４の評価装置１では、光源１１、受光部１４及び被評価記録媒体１２（測定物質）のうちいずれかを動かすことで照射角や受光角１１ｂが変化する。具体的には、受光部１４又は測定物質を動かすことで反射光１１ａの受光角度が変化する。また光源１１又は測定物質を動かすことで照射光１１ａの照射角度が変化する。
【００５１】
本発明の評価装置において、物質の質感情報を取得する手段として、例えば、図４に図示される下記（ｃ−１）及び（ｃ−２）からなる構成がある。
（ｃ−１）落射型光学顕微鏡１６及びＣＣＤカメラ１７
（ｃ−２）ＣＣＤカメラに接続される画素処理回路２０ｂ及び画素処理回路２０ｂに接続されるＰＣ端末１８
【００５２】
ここで（ｃ−１）は、物質の画像を取得する手段とこの画像の明度分布を取得する手段を兼ねている。即ち、落射型光学顕微鏡１６を介して観察される物質の画像（拡大画像）は、ＣＣＤカメラ１７で撮影される。
【００５３】
また（ｃ−２）は、ＣＣＤカメラ１７で撮影される被評価記録媒体１２の二次元画像を物質の質感情報に変換する手段である。具体的には、画素処理回路２０ｂを用いて被評価記録媒体１２の二次元画像を処理して画像の明度分布を取得し、次いでこの明度分布を処理して物質の質感情報を取得する。本発明において、物質の質感情報の様式は特に限定されないが、好ましくは、ＣＩＥのＬ＊で表される数値に基づく情報であり、より好ましくは、ＣＩＥのＬ＊からフーリエ変換して得られた粒状度で表される情報である。
【００５４】
本発明の評価装置において、物質を構成する素材の光輝情報を取得する手段としては、被評価記録媒体１２（測定物質）に対して垂直方向に光を照射した際の正反射率を測定する手段であれば特に限定されない。例えば、上記（ｃ−１）の構成を利用することができる。
【００５５】
図４の評価装置１において、ＰＣ端末１８は、色彩情報、光沢情報、質感情報及び素材の光輝情報を取得する手段であるが、これに限定されず、これら取得した情報を基に物質のメタリック感を評価する評価手段も兼ねている。
【００５６】
図４の評価装置１により、色彩情報、光沢情報、質感情報及び素材の光輝情報の諸情報を取得できると共に、メタリック感の評価が可能となる。
【符号の説明】
【００５７】
１：評価装置、２：本体部、３：制御部、１１：光源、１１ａ：照射光、１２：被評価記録媒体、１３：積分球型受光部、１４：受光部、１５：可動支柱部、１６：落射型光学顕微鏡、１７：ＣＣＤカメラ、１８：ＰＣ端末、１９：媒体設置部、２０ａ：信号処理回路、２０ｂ：画素処理回路
【図１】
2015068813.tif 000003
【図２】
2015068813.tif 000004
【図３】
2015068813.tif 000005
【図４】
2015068813.tif 000006